(57)【要約】【課題】  健康増進効果に加えて、各種スポーツ等の練習、訓練を効果的に行うことのできる運動訓練機を提供する。【解決手段】  左右の踏板(27,28) が、それぞれ、訓練機の前後方向中心線に平行な軸を中心に回動可能なように保持された２本のアーム(21,23,22,24) の自由端に取り付けられて成る左右一対の足踏み機構(2) を有し、これらの左右の足踏み機構が、回動主軸(34)と、これに取り付けられた主作動輪(36,37) 、クランク(40,49) 、リンクロッド(43,44) 等から成る連動機構によって互いに連結され、使用者がこれら左右の踏板(27,28) を交互に踏み動かすことにより、使用者の身体が左右に交互に揺動するよう構成されると共に、基台前部(3) には、使用者の両手で操作される左右一対のハンドルバー等が設けられ、当該ハンドルバー等と上記足踏み機構とが相互に連動するよう構成されたことを特徴とする。【選択図】  図１
0003115892.tif 000002
【実用新案登録請求の範囲】
【請求項１】
基台（１，３）と；
左右一対の足踏み機構（２）であって、次の構成要素、即ち、左踏板支持回動第１及び第２アーム（２１，２３）及び右踏板支持回動第１及び第２アーム（２２，２４）と、これらのアームの一端を訓練機の前後方向中心線に平行な軸を中心に回動可能に支持するよう基台（１）上にそれぞれ設けられる回動中心軸（１３０, １５０，１４０，１６０）と、上記各アームの他端にそれぞれ取り付けた支軸（２５０, ２５１，２６０，２６１）により軸支された基板（２５，２６）上にそれぞれ取り付けられた左右の踏板（２７，２８）と、から構成される左右一対の足踏み機構（２）と；
次の構成要素から成る連動機構、即ち、回動主軸（３４）と、当該回動主軸（３４）の両端部を回動自在に支持するよう基台（３）の両側辺から起立して設けられる支持柱体（３２，３３）と、上記回動主軸（３４）上に固着される伝動輪（３５）と、当該伝動輪（３５）の左右両側の上記回動主軸（３４）上にそれぞれ固着される少なくとも１個づつの主作動輪（３６，３７）と、当該右側及び左側の主作動輪（３６，３７）に取り付けられるクランク（４０，４９）と、上記左側及び右側の足踏み機構（２）の上記第１又は第２アーム（２１，２２，２３，２４）の自由端近くの適宜の箇所に固着されるクランク駆動用ロッド（４１，４２）と、両端に取り付けたユニバーサルジョイント（４５，４７）を介して上記左側クランク（４９）の自由端と上記左側クランク駆動用ロッド（４１）の自由端とを連結する左側リンクロッド（４３）と、両端に取り付けたユニバーサルジョイント（４６，４８）を介して上記右側クランク（４０）の自由端と上記右側クランク駆動用ロッド（４２）の自由端とを連結する右側リンクロッド（４４）と、それぞれの一端は上記右側及び左側の主作動輪（３６，３７）にそれぞれ巻き付けられ、他端は基台（１）の適宜の箇所にそれぞれ固定される弾性伸縮部材（５２，５１）と、から構成される連動機構と；
基台（３）上に回転自在に取り付けられ、上記伝動輪（３５）と動力伝達可能なように連結された所定重量のフライホイール（５）と；
を備え、これにより、使用者が左右の踏板（２７，２８）を交互に踏み動かすと、この足の運動によって使用者の身体が中央位置から左側及び右側へ交互に離れたり、戻ったりする運動が繰り返されるように構成されたことを特徴とする運動訓練機。
【請求項２】
上記連動機構の回動主軸（３４）上に左側及び右側の副作動輪（３９，３８）が取り付けられ、当該副作動輪（３９，３８）にはそれぞれ弾性伸縮部材（５３，５４）の一端が巻き付けられ、当該弾性伸縮部材（５３，５４）の他端は基台（１）の適宜の箇所にそれぞれ固定され、基台（１）の左右両側辺からそれぞれ起立するよう設けられた支柱（１１，１２）の上端にそれぞれ回動可能なように左側及び右側のハンドルバー（６１，６２）が取り付けられ、訓練機の基台（１，３）及び上記支柱（１１，１２）の適所に複数のワイヤガイド用プーリ（６）が配置され、一端がそれぞれ上記左側及び右側の副作動輪（３９，３８）に巻き付けられ、他端が上記左右のハンドルバー（６１，６２）の適所にそれぞれ固定され、中間部が上記複数のワイヤガイド用プーリ（６）によりガイドされるワイヤ（６５，６６）によって、上記左側及び右側の副作動輪（３９，３８）と左側及び右側のハンドルバー（６１，６２）とがそれぞれ連結されて成り、
これにより、使用者が左側及び右側のハンドルバー（６１，６２）を身体側へ交互に引き寄せ又は押し出す左右の手の運動と、左右の踏板（２７，２８）を交互に踏み動かす左右の足の運動とが同時に連動して行われるように構成されたことを特徴とする請求項１に記載の運動訓練機。
【請求項３】
上記連動機構の回動主軸（３４）上に左側及び右側の副作動輪（３９，３８）が取り付けられ、当該副作動輪（３９，３８）にはそれぞれ弾性伸縮部材（５３，５４）の一端が巻き付けられ、当該弾性伸縮部材（５３，５４）の他端は基台（１）の適宜の箇所にそれぞれ固定され、基台（３）の前部から起立するよう設けられた前支柱（３１）の上端にそれぞれ回動可能なように左側及び右側の把手レバー（８１，８２）が取り付けられ、訓練機の基台（１，３）及び上記前支柱（３１）の適所に複数のワイヤガイド用プーリ（６）が配置され、一端がそれぞれ上記左側及び右側の副作動輪（３９，３８）に巻き付けられ、他端が上記左右の把手レバー（８１，８２）の適所にそれぞれ固定され、中間部が上記複数のワイヤガイド用プーリ（６）によりガイドされるワイヤ（８３，８４）によって、上記左側及び右側の副作動輪（３９，３８）と左側及び右側の把手レバー（８１，８２）とがそれぞれ連結されて成り、
これにより、使用者が左側及び右側の把手レバー（８１，８２）を交互に引き降ろし又は押し上げる左右の手の運動と、左右の踏板（２７，２８）を交互に踏み動かす左右の足の運動とが同時に連動して行われるように構成されたことを特徴とする請求項１に記載の運動訓練機。
【考案の詳細な説明】
【技術分野】
【０００１】
本考案は、運動訓練機に関し、特に、従来の足踏み運動機とは異なった特別の機構を備えることにより、各種スポーツ等の練習、訓練を効果的に行うことのできる運動訓練機に関するものである。
即ち、本考案に係る運動訓練機の概要は、その基台後部に左右一対の足踏み機構を有し、当該足踏み機構は、左右の踏板が、それぞれ、訓練機の前後方向中心線に平行な軸を中心に回動可能なように保持された２本のアームの自由端に取り付けられ、使用者がこれら左右の踏板を交互に踏み動かすことにより、使用者の身体が中央位置から左側及び右側へ交互に離れたり、戻ったりする運動を繰り返すように構成されると共に、この運動訓練機の基台前部には、使用者の両手で操作される左右一対のハンドルバー等が設けられ、当該ハンドルバー等と上記足踏み機構とが相互に連動するよう構成されることにより、スケート、スキー、ロッククライミング等の手足の運動の練習若しくは訓練を行うのに適した運動訓練機である。
【背景技術】
【０００２】
足踏み運動機は、室内運動器具の一つとして今日広く普及している。そのような従来公知の足踏み運動機は、使用者が踏み動かすように構成された左右の踏板機構を備え、坂や階段の昇り降りに似た運動を行うことができるように構成されたものである。
そのような従来公知の足踏み運動機について、図７を参照しつつ説明すれば、左右一対の踏板９２１、９１１がそれぞれの支持アーム９２、９１の自由端に取り付けられ、これらの支持アーム９２、９１は１本の回動中心軸９上にそれぞれ個別に回動自在なように枢支されている。回動中心軸９の軸線Ａと、足踏み運動機の前後方向中心軸線Ｃとは、図示したような上面図において、互いに直交するように構成されている。
そのため、使用者が左右の踏板９２１、９１１を交互に踏み動かした場合に、各踏板は互いに連動することなくそれぞれ独立に上下動し、またその上面も水平状態を保ったままで上下動するため、使用者の体も単に上下に往復移動する軌跡を描き、坂や階段を昇り降りする動作と同様の運動がなされるに過ぎなかった。
【０００３】
また、本考案者が先に開示した下記の特許文献１に記載の足踏み運動機においても、左右の踏板は互いに連動することなくそれぞれ独立に上下動し、またその上面も水平状態を保ったままで上下動するよう構成されているため、使用者の体は、坂や階段を昇り降りするときと同様に、上下方向に往復移動する軌跡を描くに過ぎなかった。
【０００４】
【特許文献１】登録実用新案第３０９７７９０号公報
【考案の開示】
【考案が解決しようとする課題】
【０００５】
本考案者は、上記の如き従来の足踏み運動機とは異なり、左右の踏板が連動して上下動すると共に、その上下動に伴い、各踏板の上面が傾斜することによって、足踏み運動と同時に使用者の体が左右に揺動し、更に、足踏み機構に加えて、両手で操作される操作具が設けられ、両者が連動することにより、手足が一定の関連性をもって同時に動かされ、これによって各種スポーツの手足の動きの練習、訓練を行うのに効果を発揮する運動訓練機を提供することを課題とする。
【課題を解決するための手段】
【０００６】
上記の課題を達成するため、本考案に係る運動訓練機は、
基台と；
左右一対の足踏み機構であって、次の構成要素、即ち、左踏板支持回動第１及び第２アーム及び右踏板支持回動第１及び第２アームと、これらのアームの一端を訓練機の前後方向中心線に平行な軸を中心に回動可能に支持するよう基台上にそれぞれ設けられる回動中心軸と、上記各アームの他端にそれぞれ取り付けた支軸により軸支された基板上にそれぞれ取り付けられた左右の踏板と、から構成される左右一対の足踏み機構と；
次の構成要素から成る連動機構、即ち、回動主軸と、当該回動主軸の両端部を回動自在に支持するよう基台の両側辺から起立して設けられる支持柱体と、上記回動主軸上に固着される伝動輪と、当該伝動輪の左右両側の上記回動主軸上にそれぞれ固着される少なくとも１個づつの主作動輪と、当該右側及び左側の主作動輪に取り付けられるクランクと、上記左側及び右側の足踏み機構の上記第１又は第２アームの自由端近くの適宜の箇所に固着されるクランク駆動用ロッドと、両端に取り付けたユニバーサルジョイントを介して上記左側クランクの自由端と上記左側クランク駆動用ロッドの自由端とを連結する左側リンクロッドと、両端に取り付けたユニバーサルジョイントを介して上記右側クランクの自由端と上記右側クランク駆動用ロッドの自由端とを連結する右側リンクロッドと、それぞれの一端は上記右側及び左側の主作動輪にそれぞれ巻き付けられ、他端は基台の適宜の箇所にそれぞれ固定される弾性伸縮部材と、から構成される連動機構と；
基台上に回転自在に取り付けられ、上記伝動輪と動力伝達可能なように連結された所定重量のフライホイールと；
を備え、これにより、使用者が左右の踏板を交互に踏み動かすと、この足の運動によって使用者の身体が中央位置から左側及び右側へ交互に離れたり、戻ったりする運動が繰り返されるように構成されたことを特徴とするものである。
【０００７】
上記連動機構の回動主軸上に左側及び右側の副作動輪が取り付けられ、当該副作動輪にはそれぞれ弾性伸縮部材の一端が巻き付けられ、当該弾性伸縮部材の他端は基台の適宜の箇所にそれぞれ固定され、基台の左右両側辺からそれぞれ起立するよう設けられた支柱の上端にそれぞれ回動可能なように左側及び右側のハンドルバーが取り付けられ、訓練機の基台及び上記支柱の適所に複数のワイヤガイド用プーリが配置され、一端がそれぞれ上記左側及び右側の副作動輪に巻き付けられ、他端が上記左右のハンドルバーの適所にそれぞれ固定され、中間部が上記複数のワイヤガイド用プーリによりガイドされるワイヤによって、上記左側及び右側の副作動輪と左側及び右側のハンドルバーとがそれぞれ連結されて成り、
これにより、使用者が左側及び右側のハンドルバーを身体側へ交互に引き寄せ又は押し出す左右の手の運動と、左右の踏板を交互に踏み動かす左右の足の運動とが同時に連動して行われるように構成することが推奨される。
【０００８】
或いはまた、上記連動機構の回動主軸上に左側及び右側の副作動輪が取り付けられ、当該副作動輪にはそれぞれ弾性伸縮部材の一端が巻き付けられ、当該弾性伸縮部材の他端は基台の適宜の箇所にそれぞれ固定され、基台の前部から起立するよう設けられた前支柱の上端にそれぞれ回動可能なように左側及び右側の把手レバーが取り付けられ、訓練機の基台及び上記前支柱の適所に複数のワイヤガイド用プーリが配置され、一端がそれぞれ上記左側及び右側の副作動輪に巻き付けられ、他端が上記左右の把手レバーの適所にそれぞれ固定され、中間部が上記複数のワイヤガイド用プーリによりガイドされるワイヤによって、上記左側及び右側の副作動輪と左側及び右側の把手レバーとがそれぞれ連結されて成り、
これにより、使用者が左側及び右側の把手レバーを交互に引き降ろし又は押し上げる左右の手の運動と、左右の踏板を交互に踏み動かす左右の足の運動とが同時に連動して行われるように構成することも推奨される。
【考案の効果】
【０００９】
上記の如き構成を有する本考案に係る運動訓練機によれば、通常の健康増進効果に加えて、次のような効果が得られる。
（１）上記連動機構において、その回動主軸に左右の主作動輪を固着し、各主作動輪をクランク機構を介して各足踏み機構にそれぞれ連結したことにより、使用者の足踏み動作時に左右の踏板が連動して交互に上下動せしめられる。そのため、左右の踏板がそれぞれ独立に上下動可能な従来品とは異なり、スケート、スキー、ロッククライミング等々のスポーツにおける左右の足の動きの関連性と同様の関連性をもたせた練習、訓練を行うことができる。
（２）左及び右踏板を、それぞれ２本の支持回動アームによって支持したので、それらのアームの旋回による踏板の上下動に伴って、踏板の上面が傾斜運動を行い、足踏み運動時に使用者の体も左右に揺動するため、前記の如きスポーツにおける足の動きに合わせた体の動きをも身につけることができる。
（３）使用者が両手で操作できるハンドルバー等を設け、これらを前記足踏み機構の連動機構と連結したことにより、上記の如きスポーツにおける両手、両足の動きの相互の関連性と同様の関連性をもたせた手足の動作の練習、訓練を行うことができる。
【考案を実施するための最良の形態】
【００１０】
以下、添付図面を参照しつつ本考案の好適な実施形態について詳細に説明する。
図１は、本考案に係る運動訓練機の一実施例の外観斜視図、
図２は、図１に示した運動訓練機を別の方向から見た状態で示す外観斜視図、
図３は、本考案に係る運動訓練機の足踏み機構の一実施例の外観斜視図、
図４は、図３に示した足踏み機構の作動を示す説明図、
図５は、本考案に係る運動訓練機を使用する場合における使用者の足の運動を示す説明図、
図６は、本考案に係る運動訓練機において、図１に示したものとは別種の手の運動機構を備えた一実施例を示す外観斜視図である。
【００１１】
先ず、図１を参照しつつ説明する。
図示する如く、本考案に係る運動訓練機には、基台後部１と基台前部３とから成る基台が設けられる。基台後部１上には一対の足踏み機構２が設けられる。この足踏み機構２は、使用者が足で踏み動かすための左踏板２７及び右踏板２８を有している。
基台の側辺部１０には、上方へ向けて起立する左支柱１１及び右支柱１２が備えられ、その頂部には、使用者が両手でそれぞれ押し若しくは引き動かすためのハンドルバー６１及び６２が取り付けられている。
基台の後部１と前部３との上に回動主軸３４が設けられ、当該回動主軸３４上には伝動輪３５と、主作動輪３６、３７と、副作動輪３８、３８とが固定されている。
伝動輪３５は伝動ベルト等（図では省略）によって、所定の重量を有するフライホイール５と動力伝達可能なように連結され、使用者が踏板２７、２８及びハンドルバー６１、６２のいずれかを動かすと、重めに作製されたフライホイール５が回転せしめられ、使用者の運動に所定の負荷が掛けられるようになっている。このときのフライホイール５の回転負荷の大小は、電磁式ブレーキ７によって調製可能なようになっている。
【００１２】
ここで、図１ないし図３を同時に参照しつつ、足踏み機構２の構成及び作動について説明する。
足踏み機構２は、左踏板支持回動第１及び第２アーム２１、２３と、右踏板支持回動第１及び第２アーム２２、２４とを備えている。
左踏板支持回動第１及び第２アーム２１、２３の一端の端部部材２１０、２３０は、訓練機の前後方向中心線（図３中、Ｃ−Ｃ’線で示す。）に平行な軸を中心に回動可能なように、縦支柱１５上の回動中心軸１５０と、横支枠１６上の回動中心軸１６０とにそれぞれ取り付けられる。また、左踏板支持回動第１及び第２アーム２１、２３の他端の端部部材２１１、２３１は、左踏板の基板２５上の２箇所に設けた支軸２５０、２５１（図４参照）にそれぞれ取り付けられ、当該基板２５の頂部に左踏板２７が取り付けられるようになっている。
同様に、右踏板支持回動第１及び第２アーム２２、２４の一端の端部部材２２０、２４０も、訓練機の前後方向中心線に平行な軸を中心に回動可能なように、縦支柱１３上の回動中心軸１３０と、横支枠１４上の回動中心軸１４０とにそれぞれ取り付けられる。また、右踏板支持回動第１及び第２アーム２２、２４の他端の端部部材２２１、２４１は、右踏板の基板２６上の２箇所に設けた支軸２６０、２６１にそれぞれ取り付けられ、当該基板２６の頂部には右踏板２８が取り付けられるようになっている。
【００１３】
上記の如く、本考案の足踏み機構の左踏板支持回動第１及び第２アーム２１、２３は上記回動中心軸１５０、１６０を中心に回動し、右踏板支持回動第１及び第２アーム２２、２４は上記回動中心軸１３０、１４０を中心に回動するが、本考案の最大の特色は、上記上記回動中心軸１５０、１６０、１３０、１４０及びこれらのアームの上端を踏板の基板に連結する支軸２５０、２５１、２６０、２６１が、いずれも訓練機の前後方向中心線に平行、且つ、互いに離れた位置に設定されているという点にあり、そのため、図４に示すように、使用者が左右の踏板２７，２８を交互に踏み動かすと、踏板２７，２８の上下方向への往復移動と、踏板の傾斜運動とによって、使用者の身体が中央位置から左側及び右側へ交互に離れたり、戻ったりする運動を繰り返すように構成されていることである。
【００１４】
次に、図２を参照しつつ、本考案の運動訓練機の連動機構について説明する。
前記の回動主軸３４は、基台前部３の両側辺から起立して設けられた支持柱体３２、３３の間に掛け渡すように取り付けられる。回動主軸３４上には、その略中央に伝動輪３５が固着され、伝動輪３５の左右両側には主作動輪３６、３７が取り付けられ、更にその外側に副作動輪３８、３９が取り付けられている。そして、上記主作動輪３６、３７には、それぞれクランク４０、４９が取り付けられている。
上記左側及び右側の足踏み機構２の上記第１アーム２１、２２（又は第２アーム２３、２４）の自由端近くにはクランク駆動用ロッド４１、４２が取り付けられている。
そして、前記左側クランク４９の自由端と上記左側クランク駆動用ロッド４１の自由端とは、両端にユニバーサルジョイント４５、４７を有する左側リンクロッド４３によって互いに連結される。
同様に、前記右側クランク４０の自由端と上記右側クランク駆動用ロッド４２の自由端とは、両端にユニバーサルジョイント４６、４８を有する右側リンクロッド４４によって互いに連結される。
上記主作動輪３６、３７及び副作動輪３８、３９の外周には、それぞれ、弾性伸縮部材５２、５１及び５４、５３の一端が巻き付けられ、これらの弾性伸縮部材の他端は、基台１、３の適宜の箇所にそれぞれ固定されている。
【００１５】
上記の如く構成された連動機構の作動について、図２及び図４を参照しつつ説明する。
使用者が両足で左及び右踏板２７、２８を交互に上下に移動させる足踏み運動を行うとき、例えば右足で右踏板２８を押し下げると、右側リンクロッド４４及びその両端のユニバーサルジョイント４６、４８の作用でクランク４０が主作動輪３６を回動させ、これにより回動主軸３４が回動せしめられる。このとき、回動主軸３４上に固着した伝動輪３５が所定の重量を有するフライホイール５を回動させ、その負荷に抗して足踏み運動を行うことが、使用者の健康増進に役立つこととなる。
【００１６】
一方、上記の如く右足で右踏板２８を押し下げ、主作動輪３６が所定角度だけ回動する際に、主作動輪３６上に巻き付けた弾性伸縮部材５２は引き伸ばされるため、使用者が右足の力を抜くと、弾性伸縮部材５２の復元力によって主作動輪３６は逆向きに回動する。すると、前記クランク４０、右側リンクロッド４４及びその両端のユニバーサルジョイント４６、４８の作用で、右踏板２８は元の位置まで持ち上げられる。
【００１７】
左踏板２７と右踏板２８の運動は対称的に行われるので、使用者の両足の上下往復運動は図４及び図５に示すような状態になる。このような本考案の足踏み機構及び連動機構の機能により、使用者の身体の運動軌跡は、中央位置から左側及び右側へ交互に離れたり、戻ったりする軌跡を描くこととなり、あたかもスケートや、ロッククライミング、スキー等を行う際の両足及び身体の運動軌跡と同様になるため、それらのスポーツの練習若しくは訓練に役立つものである。
【００１８】
本考案においては、上記の如き足踏み運動のほかに、両手の運動を加えることが可能であり、これについて図１、図２及び図５を参照しつつ説明する。
その場合、基台の側辺部１０に沿って複数のワイヤガイド用プーリ６を配置し、これらのプーリ間にワイヤ６５、６６を掛け渡す。ワイヤ６５、６６の一端はそれぞれ副作動輪３９、３８に巻き付けられ、他端は、ハンドルバー６１、６２上のワイヤ端固定座６３、６４に固定される。
また、上記副作動輪３８、３９には、伸縮自在な弾性伸縮部材５４、５３の一端がそれぞれ巻き付けられ、弾性伸縮部材５４、５３の他端は運動訓練機の基台１、３の適宜の箇所にそれぞれ固定される。
使用者は、ハンドルバー６１、６２をそれらの中立位置から相互に対称的に動かすことができ、例えば、一方のハンドルバー６１を使用者の体の方へ引き寄せるときは、他方のハンドルバー６２は使用者の体から遠ざかる方向へ押し出すように操作でき、また逆に、ハンドルバー６２を使用者の体の方へ引き寄せるときは、他方のハンドルバー６１は使用者の体から遠ざかる方向へ押し出すように操作できる。
そうすることにより、ワイヤ６５、６６を介して副作動輪３９、３８が回動せしめられ、これにより前記回動主軸３４及び伝動輪３５が回動し、重めに作製されたフライホイール５が回動せしめられるようになっている。
使用者がハンドルバー６１、６２に加える力を弱めると、弾性伸縮部材５４、５３の復元力によって各ハンドルバーはそれぞれ前記と反対方向へ旋回し、中立位置へ復帰する。
【００１９】
一般に、人間の手と足の自然な動きは相互に一定の関連性を有しており、例えば、左足及び左手を下ろす動作を行うときは、右足及び右手はこれとは反対に上へ持ち上げる動作を行う。逆に、左足及び左手を元の位置へ持ち上げる動作を行うときは、右足及び右手は下へ下ろす動作を行う。
このように人間は、手と足を動かすとき、それらに一定の関連性を持たせ、体全体の動きのバランスを保つようにしている。
本考案に係る運動訓練機は、そのような一定の関連性を有する手足の動きを、前記回動主軸３４上に共通に取り付けられた主作動輪３６、３７及び副作動輪３８、３９等から成る連動機構と、それらを左右のハンドルバー６１、６２に連結するワイヤ６５、６６の作用によって、同時に連動して行うように構成したものである。
【００２０】
即ち、上記図１、図２及び図５に示した実施例において、使用者は、左右のハンドルバー６１、６２を身体側へ交互に引き寄せ又は押し出す左右の手の運動と、左右の踏板２７、２８を交互に踏み動かす左右の足の運動とを同時に連動して行う練習を行うことができる。
従って、この運動訓練機は、例えば、スキーの歩行練習、訓練等に好適に用いることができる。
【００２１】
図６には、足の運動訓練と、手の運動訓練を同時に行うことができるように構成した本考案に係る運動訓練機のもう一つの実施例が示されている。
この実施例においては、基台前部３から起立するように前支柱３１が設けられ、その上端に左側及び右側の把手レバー８１，８２がそれぞれ回動可能なように取り付けられている。
基台１又は３及び前支柱３１上の適所には複数のワイヤガイド用プーリ６を配置し、これらのプーリ間にワイヤ８３、８４を掛け渡す。ワイヤ８３、８４の一端はそれぞれ副作動輪３９、３８に巻き付けられ、他端は、把手レバー８１，８２上の適所にそれぞれ固定される。
副作動輪３８、３９、弾性伸縮部材５４、５３、フライホイール５、等々の機能は、前記実施例の場合と同様である。
この運動訓練機を使用する際、使用者は、ハンドルバー６１、６２を手で握って引き下ろす操作を、足で左右の踏板２７、２８を踏み降ろす運動と連関させて行うことができる。即ち、左右の把手レバー８１，８２を交互に引き降ろす左右の手の運動と、左右の踏板２７，２８を交互に踏み動かす左右の足の運動とを同時に連動して行う練習を行うことができる。
従って、この運動訓練機は、例えばロッククライミングの訓練等に好適に利用することができる。
【００２２】
なお、本考案は上記実施例に限定されるものでなく、その目的の範囲内において上記の説明から当業者が容易に想到し得るすべての変更実施例を包摂するものである。
【産業上の利用可能性】
【００２３】
本考案は上記の如く構成されるから、本考案によるときは、通常の健康増進効果に加えて、スケート、スキー、ロッククライミング等々のスポーツにおける両手、両足及び体の動きの相互の関連性と同様の関連性をもたせた動作の練習、訓練を行うことができる運動訓練機を提供し得るものであり、従って、本考案は多大の実用的価値と産業上の利用可能性を有するものである。
【図面の簡単な説明】
【００２４】
【図１】本考案に係る運動訓練機の一実施例の外観斜視図である。
【図２】図１に示した運動訓練機を別の方向から見た状態で示す外観斜視図である。
【図３】本考案に係る運動訓練機の足踏み機構の一実施例の外観斜視図である。
【図４】図３に示した足踏み機構の作動を示す説明図である。
【図５】本考案に係る運動訓練機を使用する場合における使用者の足の運動を示す説明図である。
【図６】本考案に係る運動訓練機において、図１に示したものとは別種の手の運動機構を備えた一実施例を示す外観斜視図である。
【図７】従来公知の訓練機における左右の踏板と、その支持アームの回動状態を示す説明図である。
【符号の説明】
【００２５】
１          基台後部
１０        基台側辺部
１１        左支柱
１２        右支柱
１３        右踏板支持回動第１アームの回動中心軸を設けるための縦支柱
１３０      右踏板支持回動第１アームの回動中心軸
１４        右踏板支持回動第２アームの回動中心軸を設けるための横支枠
１４０      右踏板支持回動第２アームの回動中心軸
１５        左踏板支持回動第１アームの回動中心軸を設けるための縦支柱
１５０      左踏板支持回動第１アームの回動中心軸
１６        左踏板支持回動第２アームの回動中心軸を設けるための横支枠
１６０      左踏板支持回動第２アームの回動中心軸
１７        手摺り
２              足踏み機構
２１            左踏板支持回動第１アーム
２１０，２１１  左踏板支持回動第１アームの端部部材
２２            右踏板支持回動第１アーム
２２０，２２１  右踏板支持回動第１アームの端部部材
２３            左踏板支持回動第２アーム
２３０，２３１  左踏板支持回動第２アームの端部部材
２４            右踏板支持回動第２アーム
２４０，２４１  右踏板支持回動第２アームの端部部材
２５            左踏板の基板
２５０，２５１  支軸
２６            右踏板の基板
２６０，２６１  支軸
２７            左踏板
２８            右踏板
３          基台前部
３１        前支柱
３２，３３  回動主軸の支持柱体
３４        連動機構の回動主軸
３５        フライホイールへの伝動輪
３６，３７  主作動輪
３８，３９  副作動輪
４０        右側クランク
４１        左側クランク駆動用ロッド
４２        右側クランク駆動用ロッド
４３        左側リンクロッド
４４        右側リンクロッド
４５，４６，４７，４８  ユニバーサルジョイント
４９        左側クランク
５          フライホイール
５１，５２，５３，５４  弾性伸縮部材
６          ワイヤガイド用プーリ
６１，６２  ハンドルバー
６３，６４  ワイヤ端固定座
６５，６６  ワイヤ
７          電磁式ブレーキ
８１，８２  把手レバー
８３，８４  ワイヤ
９          回動中心軸
９１，９２  支持アーム
９１１      右踏板
９２１      左踏板
【図１】
0003115892.tif 000003
【図２】
0003115892.tif 000004
【図３】
0003115892.tif 000005
【図４】
0003115892.tif 000006
【図５】
0003115892.tif 000007
【図６】
0003115892.tif 000008
【図７】
0003115892.tif 000009